(57)【特許請求の範囲】
【請求項１】
ポンプ装置のシリンダの内部に、シリンダの吸込口から接近離反する方向に直線移動して吸込口を開閉する吸込弁が配置され、シリンダの内周面の吸込口近傍には吸込弁を案内する複数のバルブガイドが周方向に互いに離間して設置され、シリンダ内に往復動可能に設けられたピストンがスプリングによって吸込口から離反する方向に付勢されており、このスプリングは前記バルブガイドの上端に設けられたスプリング受部とピストンとの間に配され、前記吸込弁の外周面に突設された制動突起が前記バルブガイド間に挿入されて、この制動突起が前記スプリングの端部に突き当たることにより吸込弁の開方向への移動域を規制し、前記ピストンの往動によりシリンダ内が加圧されて吸込弁が吸込口を塞ぎシリンダ内の内容物が吐出され、ピストンの復動によりシリンダ内が減圧されて吸込弁が吸込口を開き吸込口からシリンダ内に内容物を吸い込むポンプ装置の吸込部構造において、
前記吸込口側に位置する前記制動突起の縁部の断面形状が吸込口に接近する側に頂点を有する略三角形をなし、前記スプリング受部の断面形状が吸込口から離間する側に頂点を有する略三角形をなすことを特徴とするポンプ装置の吸込部構造。
【請求項２】
前記吸込弁は、該吸込弁の移動方向に軸線を一致させた棒状をなすことを特徴とする請求項１に記載のポンプ装置の吸込部構造。
【請求項３】
断面略三角形状をなす前記制動突起の縁部が、吸込口に接近するにしたがって吸込弁の外周面に漸次接近するべく傾斜していることを特徴とする請求項１または２に記載のポンプ装置の吸込部構造。
【請求項４】
前記バルブガイドにおける吸込弁に対する摺接部の断面形状が、吸込弁に対面する側に頂点を有する略三角形をなすことを特徴とする請求項１から３のいずれかに記載のポンプ装置の吸込部構造。
【請求項５】
前記シリンダには前記スプリング受部よりも吸込口から離間する側にスプリング受部に連なるスプリングガイドが設けられ、このスプリングガイドの縁部の断面形状がシリンダの内方に頂点を有する略三角形をなすことを特徴とする請求項１から４のいずれかに記載のポンプ装置の吸込部構造。
【発明の詳細な説明】
【０００１】
【発明の属する技術分野】
本発明は、ポンプ装置におけるシリンダの吸込口近傍の内部構造に関するものである。
【０００２】
【従来の技術】
実公平７−１３８１６号公報には、容器の口筒部に装着して用いられるポンプ装置の一つが開示されている。
【０００３】
このポンプ装置における吸込部の構造は次のようになっている。ポンプ装置のシリンダの内部であって吸込口の近傍には、吸込口から接近離反する方向に直線移動して吸込口を開閉する吸込弁が配置されている。又、シリンダの内周面の吸込口近傍には吸込弁を案内する複数の板状のバルブガイドが周方向に互いに離間して設置されていて、バルブガイドの上端はスプリング受部になっている。
【０００４】
シリンダ内に往復動可能に設けられたピストンは、ピストンと前記スプリング受部との間に配されたスプリングによって吸込口から離反する方向に付勢されている。
【０００５】
又、前記吸込弁の外周面には制動突起が突設されていて、この制動突起は前記バルブガイド間に挿入され、制動突起が前記スプリングの端部に突き当たることにより吸込弁の開方向への移動域を規制している。
【０００６】
このポンプ装置では、ピストンの往動によりシリンダ内が加圧されて、吸込弁が吸込口を塞ぎ、シリンダ内の内容物がポンプ装置の吐出口から吐出する。又、ピストンの復動によりシリンダ内が減圧されて、吸込弁が吸込口を開き、容器内の内容物を吸込口からシリンダ内に吸い込む。
【０００７】
図７は前記従来のポンプ装置の吸引部の断面図である。吸込弁１００の制動突起１０１は下側（吸込口に接近する側）が断面略半円形状に形成されており（図８参照）、シリンダ１１０のバルブガイド１１１の上端のスプリング受部１１２は上側に凸の半円形断面に形成されている（図８参照）。
【０００８】
【発明が解決しようとする課題】
ところで、前記従来のポンプ装置を組み立てる時には、上方からシリンダ１１０内に吸込弁１００を挿入して制動突起１０１をバルブガイド１１１間に挿入し、この後でスプリング１２０をシリンダ１１０内に挿入してスプリング１２０をスプリング受部１１２の上に突き当てるか、あるいは、吸込弁１００の外側にスプリング１２０を装着し、制動突起１０１にスプリング１２０の端部を突き当ててから、吸込弁１００及びスプリング１２０を一緒にシリンダ１１０内に挿入し、制動突起１０１をバルブガイド１１１間に挿入する。
【０００９】
しかしながら、いずれの方法を採った場合であって、シリンダ１１０内に吸込弁１００を挿入した時に、運悪く図８に示すように制動突起１０１の下縁とスプリング受部１１２の先端が突き当たってしまうと、半円形断面同士が突き当たるために、制動突起１０１がスプリング受部１１２に乗っかって滑り落ちなくなる場合があった。
【００１０】
このように制動突起１０１がスプリング受部１１２の上から滑り落ちないままポンプ装置を組み立ててしまうと、制動突起１０１はスプリング受部１１２とスプリング１２０とに挟持されて動けなくなり、吸込弁１００が吸込口１１３を閉塞することができなくなって、吸込口１１３が常時開状態となり、シリンダ１１０内を加圧することができなくなって、ポンプとしての機能を果たせなくなる。
【００１１】
本発明はこのような従来の技術の問題点に鑑みてなされたものであり、その目的は、吸込弁をシリンダ内に正しく装着することができ、組み立て不良に起因した作動不良が起こらないように、ポンプ装置を正しく確実に組み立てることができるようにするところにある。
【００１２】
【課題を解決するための手段】
本発明は前記課題を解決するために、以下の手段を採用した。
（１）  本発明は、ポンプ装置のシリンダの内部に、シリンダの吸込口から接近離反する方向に直線移動して吸込口を開閉する吸込弁が配置され、シリンダの内周面の吸込口近傍には吸込弁を案内する複数のバルブガイドが周方向に互いに離間して設置され、シリンダ内に往復動可能に設けられたピストンがスプリングによって吸込口から離反する方向に付勢されており、このスプリングは前記バルブガイドの上端に設けられたスプリング受部とピストンとの間に配され、前記吸込弁の外周面に突設された制動突起が前記バルブガイド間に挿入されて、この制動突起が前記スプリングの端部に突き当たることにより吸込弁の開方向への移動域を規制し、前記ピストンの往動によりシリンダ内が加圧されて吸込弁が吸込口を塞ぎシリンダ内の内容物が吐出され、ピストンの復動によりシリンダ内が減圧されて吸込弁が吸込口を開き吸込口からシリンダ内に内容物を吸い込むポンプ装置の吸込部構造において、前記吸込口側に位置する前記制動突起の縁部の断面形状が吸込口に接近する側に頂点を有する略三角形をなし、前記スプリング受部の断面形状が吸込口から離間する側に頂点を有する略三角形をなすことを特徴とするポンプ装置の吸込部構造である（請求項１に対応）。
【００１３】
ポンプ装置の組み立てにおいて、吸込弁をシリンダ内に挿入した時に、吸込弁の制動突起がシリンダのバルブガイドに乗っかっても、両者は断面三角形の頂点同士が突き当たるようになるので、制動突起はバルブガイドの上に乗っかったまま停止することはできず、バルブガイドから滑り落ち、バルブガイド間に進入する。
【００１４】
（２）  前記吸込弁は、該吸込弁の移動方向に軸線を一致させた棒状とすることができる（請求項２に対応）。
【００１５】
（３）  断面略三角形状をなす前記制動突起の縁部を、吸込口に接近するにしたがって吸込弁の外周面に漸次接近するべく傾斜せしめてもよい（請求項３に対応）。
【００１６】
（４）  前記バルブガイドにおける吸込弁に対する摺接部の断面形状を、吸込弁に対面する側に頂点を有する略三角形にしてもよい（請求項４に対応）。
【００１７】
（５）  前記シリンダに、前記スプリング受部よりも吸込口から離間する側にスプリング受部に連なるスプリングガイドを設け、このスプリングガイドの縁部の断面形状を、シリンダの内方に頂点を有する略三角形としてもよい（請求項５に対応）。
【００１８】
前記（３）から（５）に記載したように構成すると、吸込弁をシリンダ内に挿入した時に、吸込弁の軸中心がシリンダの軸中心から偏心した状態で挿入された場合にも、制動突起をバルブガイド間に確実に落とし込むことができる。
【００１９】
〈本発明の原材料〉
ポンプ装置の各構成はプラスチックで形成することが可能である。
【００２０】
【発明の実施の形態】
以下、本発明の実施の形態を図１から図６の図面に基いて説明する。
【００２１】
〔第１の実施の形態〕
図１は本発明の第１の実施の形態の吸込部構造を備えたポンプ装置の断面図である。このポンプ装置は容器の口筒部（図示せず）に装着されて使用される。
【００２２】
ポンプ装置は主要構成として、シリンダ１０と、吸込弁２０と、ピストン３０と、ステム４０と、キャップ７０と、ポンプヘッド８０と、スプリング９０と、吐出弁９１と、パッキン９２と、吸引管９３を備えている。
【００２３】
シリンダ１０は上下を開口させた中空円筒状をなし、上部が大径筒部１１、下部が小径筒部１２になっており、大径筒部１１の上端には径方向外方へ突出する環状のフランジ部１３が設けられている。大径筒部１１と小径筒部１２との境界部内面は弁座１４になっており、この弁座１４の内側が吸込口１５になっている。
【００２４】
大径筒部１１の下端部内面には内方に突出して軸線方向に延びる板状のバルブガイド１６及びスプリングガイド１７が周方向に複数設けられている。図２はシリンダ１０の内側に視点を置いて見たバルブガイド１６とスプリングガイド１７の外観斜視図であり、バルブガイド１６とスプリングガイド１７は一枚の板状に形成されていて、吸込口１５に近い側にバルブガイド１６が配され、吸込口１５から遠い側にスプリングガイド１７が配されている。
【００２５】
バルブガイド１６の上端はスプリング受部１８になっていて、スプリング受部１８の断面形状は上部中央を頂点とする三角形に形成されている。
スプリングガイド１７の上端１７ａはシリンダ１０の内周面に向かって昇り傾斜の傾斜面になっている。
【００２６】
フランジ部１３の下面には環状のパッキン９２が接合されており、小径筒部１２の内側には吸引管９３の上端部が嵌着されている。尚、吸引管９３の下端は容器の底部近傍まで延びている。
【００２７】
このシリンダ１０の大径筒部１１の内部に、吸込弁２０とピストン３０とステム４０とスプリング９０が組み込まれている。
吸込弁２０は棒状をなし、弁座１４に着座離反可能な弁体２１と、この弁体２１の上部から上方に延びるガイドロッド２２と、弁体部２１の下部外周面に周方向等間隔に設けられた複数の制動フィン（制動突起）２３とを備えている。
【００２８】
弁体２１の先部はシリンダ１０のガイドリブ１６の内側に摺動可能に挿入されている。この弁体２１の先端外周部は凸曲面状に形成されていて、この先端外周部が弁座１４に着座して吸込口１５を塞ぎ、先端外周部が弁座１４から離反して吸込口１５を開く。
【００２９】
図３は制動フィン２３の外観斜視図であり、制動フィン２３は、前記シリンダ１０のバルブガイド１６間に挿入される掛止部２３ａと、掛止部２３ａの上部に連設されたスプリングガイド部２３ｂとを備えている。掛止部２３ａにおいて吸込口１５に接近する側に位置する下縁２３ｃは、弁体２１の先端に接近するにしたがって弁体２１の外周面に接近するように下り傾斜しており、掛止部２３ａの断面形状は下縁２３ｃを頂点とする三角形をなしている。
【００３０】
各掛止部２３ａの径方向の先端は、シリンダ１０のスプリング受部１６ａにほぼ重複する位置まで延びており、各掛止部２３ａがシリンダ１０のバルブガイド１６間に挿入される。
【００３１】
吸込弁２０のガイドロッド２２の上端には、先端に進むにしたがって拡径するピストンストッパ２４が形成されている。ガイドロッド２２においてピストンストッパ２４より下側の外周面には、軸線方向に延びる複数の縦リブ２５が周方向に突設されている。
【００３２】
ピストン３０は環状をなし、吸込弁２０の縦リブ２５の外側に配されていて、シリンダ１０内を上下動可能に、且つ、ガイドロッド２２を上下方向へ摺動可能に取り付けられている。
【００３３】
ピストン３０は外側環状部３１と内側環状部３２とこれらを接続する水平環部３３とから構成されている。外側環状部３１の外周面上下端部はシール部３４としてシリンダ１０の大径筒部１１の内周面をシール状態に圧接摺動する。
【００３４】
内側環状部３２の上端は吸込弁２０のピストンストッパ２４に掛止可能になっている。そして、内側環状部３２がピストンストッパ２４から離間した時に、内側環状部３２の内周面とガイドロッド２２の外周面との間の縦リブ２５間に流路２６が形成される。
【００３５】
ここで、シリンダ１０の大径筒部１１と吸込弁２０とピストン３０に囲まれた空間が第１ポンプ室１９になっている。
このピストン３０は水平環部３３とシリンダ１０のスプリング受部１８との間に設けられたスプリング９０によって上方へ付勢されており、したがって、通常は内側環状部３２の上端がピストンストッパ２４に掛止した状態になっている。
【００３６】
スプリング９０の下端部はシリンダ１０のスプリングガイド１７と吸込弁２０のスプリングガイド部２３ｂとの間に挿入されている。このスプリング９０の下端は、吸込弁２０が開方向（即ち、上方）に移動した時に、制動フィン２３の掛止部２３ａの上面を掛止せしめて、吸込弁２０の上限を規制する。
【００３７】
ステム４０はその下部をシリンダ１０の大径筒部１１に挿入させて、シリンダ１０に対して昇降可能に取り付けられており、ステム４０の下端にピストン３０が固定されている。
【００３８】
ステム４０は上下を開口させた中空円筒状をなし、内部が第２ポンプ室４１になっており、ステム４０の下部内側にピストン３０の内側環状部３２がシール状態に嵌合固定されていて、ピストン３０とステム４０は一体化されている。第２ポンプ室４１は、内側環状部３２の上部が吸込弁２０のピストンストッパ２４から離間下時に、吸込弁２０とピストン３０との間に形成される前記流路２６を介して第１ポンプ室１９に連通する。
【００３９】
ステム４０の上部内周面には内方へ突出する環状の弁座４３が設けられ、この弁座４３の上側に球状の吐出弁９１が挿入されていて、吐出弁９１が弁座４３に着座して第２ポンプ室４１を閉塞し、吐出弁９１が弁座４３から離反して第２ポンプ室４１を開放する。
【００４０】
そして、シリンダ１０のフランジ部１３をキャップ７０に装着し、ステム４０の上部にポンプヘッド８０を固定することによって、ポンプ装置はユニット化されている。
【００４１】
キャップ７０は、容器の口筒部に螺合する螺筒部７１と、螺筒部７１の天板部７２から上方に起立する首筒部７３と、シリンダ１０の大径筒部１１内に挿入される制動筒部７５とを備え、螺筒部７１の上部内周面に環状の掛止突起７４が設けられている。
【００４２】
キャップ７０は、ステム４０を制動筒部７５に挿通し、制動筒部７５をシリンダ１０内に嵌入しつつ、シリンダ１０のフランジ部１３を螺筒部７１に挿入して天板部７２に突き当て、フランジ部１３の下端外周縁を掛止突起７４に掛止させることによって、シリンダ１０に装着することができる。
【００４３】
制動筒部７５の先端は、ステム４０の上限位置にてステム４０の外周面に設けた環状突起４２に突き当たり、ステム４０がシリンダ１０から飛び出すのを阻止し、これによって、シリンダ１０内に組み込んだ各部材がシリンダ１０から飛び出すのを阻止する。
【００４４】
ポンプヘッド８０は、ステム４０の上部を嵌着せしめる内筒部８１と、この内筒部８１の外側を取り巻く外筒部８２と、内筒部８１の内部に連なり外筒部８２を貫通して外方に突出する注出ノズル８３とを備え、注出ノズル８３の先端が注出口８４として開口している。
【００４５】
尚、外筒部８２はキャップ７０の首筒部７３の内側に進入可能に配されており、ポンプヘッド８０が上限位置にある時に外筒部８２の下端が首筒部７３の上端よりも若干下方に位置するように、寸法設定されている。
【００４６】
このように組み立てられたポンプ装置は、シリンダ１０を容器の口筒部から容器内に挿入し、キャップ７０を口筒部に螺合することによって、フランジ部１３とその下面に取り付けたパッキン９２をキャップ７０の天板部７２と口筒部の上端とで挟持固定し、容器に固定される。
【００４７】
図１はポンプヘッド８０を押し下げる前の状態を示しており、この時にピストン３０及びステム４０は上限に位置し、吐出弁９１が弁座４３に着座して第２ポンプ室４１と注出口８４とを遮断している。
【００４８】
この状態からポンプヘッド８０を押し下げることによってスプリング９０の弾性に抗してピストン３０及びステム４０を下降させると、その下降初期には吸込弁２０もピストン３０と共に下降する。そして、吸込弁２０の弁体２１が弁座１４に着座して吸込口１５を閉塞すると、ピストン３０とステム４０だけが下降し、ピストン３０の内側環状部３２が吸込弁２０のピストンストッパ２４から離間する。
【００４９】
その結果、流路２６を介して第１ポンプ室１９と第２ポンプ室４１が連通し、ピストン３０の下降に伴って両ポンプ室１９，４１が加圧されて、吐出弁９１が弁座４３から離間し、両ポンプ室１９，４１の内容物がポンプヘッド８０の注出ノズル８３を通って注出口８４から注出される。
【００５０】
ポンプヘッド８０を押し下げ動作している間、吐出弁９１は弁座４３から離間し続け、注出口８４から連続的に内容物が注出される。そして、ポンプヘッド８０の押し下げを停止すると、吐出弁９１が弁座４３に着座する。図１において二点鎖線は下限に位置したピストン３０を示している。
【００５１】
押し下げたポンプヘッド８０から手を離すと、ピストン３０及びステム４０はスプリング９０の弾性によりスプリングバックして押し上げられる。この時には、吐出弁９１が弁座４３に着座しているので、両ポンプ室１９，４１が負圧化される。
【００５２】
この負圧によって吸込弁２０が押し上げられ、弁体２１が弁座１４から離間して吸込口１５を開放する。その結果、容器内の内容物が吸込口１５から第１ポンプ室１９内に流入し、更に流路２６を通って第２ポンプ室４１にも流入する。尚、吸込弁２０の上昇は制動フィン２３の掛止部２３ａがスプリング９０の下端に突き当たったところで停止せしめられる。
【００５３】
ピストン３０の内側環状部３２の上端が吸込弁２０のピストンストッパ２４に突き当たるまで、第１ポンプ室１９と第２ポンプ室４１は流路２６によって連通しており、それまでは両ポンプ室１９，４１に内容物が吸い込まれる。
【００５４】
そして、ピストン３０の内側環状部３２が吸込弁２０のピストンストッパ２４に突き当たったところでピストン３０の上昇は停止する。この時、ステム４０の掛止突起４２とキャップ７０の制動筒部７５の下端との間に若干の隙間が生じるように寸法設定されている。
【００５５】
ところで、このポンプ装置を組み立てる場合には、シリンダ１０の上部開口から吸込弁２０をシリンダ１０内に挿入する工程が必ず必要である。
この時に、吸込弁２０の制動フィン２３における掛止部２３ａの下縁２３ｃがシリンダ１０のバルブガイド１６のスプリング受部１８に乗っかる場合があるかもしれない。しかしながら、このポンプ装置では、掛止部２３ａの下部断面が三角形状をなし、スプリング受部１８の断面も三角形状をなしているので、図４に示すように掛止部２３ａの下縁２３ｃはスプリング受部１８に乗っかったまま停止することができず、その結果、掛止部２３ａはバルブガイド１６の左右いずれか一方の側に必ず落ちる。
【００５６】
したがって、吸込弁２０の掛止部２３ａをバルブガイド１６間に正しく挿入せしめてポンプ装置を組み上げることができ、組み立て不良によりポンプ機能が損なわれることがない。
【００５７】
又、吸込弁２０をシリンダ１０内に挿入する時に吸込弁２０の軸中心とシリンダ１０の軸中心を一致させて挿入するのは現実的に極めて難しく、両軸中心が若干ずれて即ち偏心した状態に挿入されるのが普通である。その場合に、この実施の形態のように、掛止部２３ａの下縁２３ｃが下方に傾斜していると、下縁２３ｃがスプリング受部１８を滑り落ちる時に球心作用が働き、弁体２１の軸中心をシリンダ１０の軸中心に一致させようとし、その結果、弁体２１をバルブガイド１６内に確実に挿入させる。
【００５８】
〔第２の実施の形態〕
図５は、本発明の第２の実施の形態を示す図面であり、シリンダ１０に設けるバルブガイド１６及びスプリングガイド１７の斜視図である。
【００５９】
この実施の形態では、バルブガイド１６の上端であるスプリング受部１８だけでなく、バルブガイド１６の弁体２１に対する摺接部１６ａ、スプリングガイド１７の上端１７ａ及び側端１７ｂについても、スプリング受部１８と同様に断面三角形状に形成されている。
【００６０】
このようにすると、吸込弁２０をシリンダ１０内に組み込む時に、弁体２１の制動フィン２３の掛止部２３ａがシリンダ１０のスプリングガイド１７に乗っかった場合にも、掛止部２３ａを滑り落とすことができるとともに、弁体２１をシリンダ１０の軸中心に球心移動させることができる。
【００６１】
〔第３の実施の形態〕
図６は、本発明の第３の実施の形態を示す図面であり、吸込弁２０に設ける制動フィン２３の斜視図である。
【００６２】
この実施の形態では、制動フィン２３における掛止部２３ａの下縁２３ｃが傾斜しておらず水平に延びている点だけが、前記第１の実施の形態における制動フィン２３と相違している。この制動フィン２３を用いた場合にも、吸込弁２０をシリンダ１０内に組み込む時に、掛止部２３ａをバルブガイド１６から滑り落として、バルブガイド１６間に正しく挿入せしめてポンプ装置を組み上げることができる。
【００６３】
〔組合せ〕
シリンダ１０のバルブガイド１６及びスプリングガイド１７と、吸込弁２０の制動フィン２３は、前述第１の実施の形態から第３の実施の形態を適宜に組み合わせることができる。
【００６４】
つまり、図２に示すバルブガイド１６及びスプリングガイド１７と、図６に示す制動フィン２３とを組み合わすことができ、あるいは、図５に示すバルブガイド１６及びスプリングガイド１７と、図３に示す制動フィン２３とを組み合わすことができ、あるいは、図５に示すバルブガイド１６及びスプリングガイド１７と、図６に示す制動フィン２３とを組み合わすことができる。
【００６５】
【発明の効果】
以上説明したように、本発明によれば、吸込弁の制動突起における吸込口側に位置する縁部の断面形状を吸込口に接近する側に頂点を有する略三角形とし、シリンダに設けたスプリング受部の断面形状を吸込口から離間する側に頂点を有する略三角形としたことによって、ポンプ装置の組み立て時に、制動突起をバルブガイド間に正しく位置せしめることができ、正常に作動するポンプ装置を確実に組み上げることができる。
【図面の簡単な説明】
【図１】本発明の吸込部構造を備えたポンプ装置の断面図である。
【図２】本発明の吸込部構造の第１の実施の形態におけるバルブガイド及びスプリングガイドの斜視図である。
【図３】本発明の吸込部構造の第１の実施の形態における制動突起の斜視図である。
【図４】本発明の吸込部構造の第１の実施の形態の作用を説明するための図である。
【図５】本発明の吸込部構造の第２の実施の形態におけるバルブガイド及びスプリングガイドの斜視図である。
【図６】本発明の吸込部構造の第３の実施の形態における制動突起の斜視図である。
【図７】従来のポンプ装置の吸込部の断面図である。
【図８】従来の吸込部の不具合を説明するための図である。
【符号の説明】
１０  シリンダ
１５  吸込口
１６  バルブガイド
１６ａ  摺接部
１７  スプリングガイド
１８  スプリング受部
１９  第１ポンプ室
２０  吸込弁
２１  弁体
２２  ガイドロッド
２３  制動フィン（制動突起）
２３ａ  掛止部
２３ｃ  下縁
３０  ピストン
４０  ステム
４１  第２ポンプ室
９０  スプリング
【図１】
0003569047.tif 000002
【図２】
0003569047.tif 000003
【図３】
0003569047.tif 000004
【図４】
0003569047.tif 000005
【図５】
0003569047.tif 000006
【図６】
0003569047.tif 000007
【図７】
0003569047.tif 000008
【図８】
0003569047.tif 000009